(57)【要約】【課題】  コンテンツ提供者が指示するフォントデータを備えない装置においても、コンテンツ提供者が意図する表示形態で文字を表示可能とする。【解決手段】  記録媒体にコンテンツ提供者が指定するフォントデータと、前記フォントデータの表示方法を指示する制御情報とを記録し、再生装置では前記制御情報の指示に従い、表示するフォントを選択し、文字を表示する。【選択図】  図３
2005092972.tif 000002
【特許請求の範囲】
【請求項１】
画像／音声データが記録された記録媒体を再生する再生装置において、
前記記録媒体に記録された文字データの表示方法を指示した文字表示情報を検出する文字表示情報検出手段と、
前記文字表示情報検出手段により検出した文字表示情報に応じて使用するフォントデータを切り替えるフォント切り替え手段とを有し、
前記文字表示情報で指定されたフォントデータを使用して文字を表示することを特徴とする再生装置。
【請求項２】
請求項１記載の再生装置であって、
前記フォント切り替え手段は、前記文字表示情報に応じて、前記再生装置が具備するフォントデータと記録媒体に記録されているフォントデータとから使用するフォントデータを選択して使用可能であることを特徴とする再生装置。
【請求項３】
請求項１〜２記載の再生装置であって、
前記文字表示情報は、前記フォントデータを格納している領域を示す領域情報を含み、
前記フォント切り替え手段は前記領域情報で指示された領域から使用するフォントデータを読み出し可能であることを特徴とする再生装置。
【請求項４】
請求項１〜３記載の再生装置であって、
前記文字表示情報は、前記フォントデータが複数種ある場合の表示優先度を含み、
前記表示優先度に従い、前記フォントデータを一覧表示するフォントデータ表示手段を有することを特徴とする再生装置。
【請求項５】
請求項４記載の再生装置において、
前記文字表示情報は、前記フォントデータのフォント名を含み、
前記フォントデータ表示手段は前記フォント名を使用して一覧表示することを特徴とする再生装置。
【請求項６】
請求項４〜５記載の再生装置であって、
利用者が、前記フォントデータ表示手段により一覧表示されたフォントデータから所望のフォントデータを選択することを可能とするフォントデータ選択手段を有し、
前記フォント切り替え手段は前記フォントデータ選択手段で選択されたフォントデータを使用して文字を表示することを特徴とする再生装置。
【請求項７】
画像／音声データが記録された記録媒体であって、
前記記録媒体を再生する再生装置が表示する文字情報と、
前記文字情報の表示方法を指示する文字表示制御情報と、
前記文字表情を前記再生装置が表示する際に使用するフォントデータとを記録していることを特徴とする記録媒体。
【請求項８】
請求項７記載の記録媒体であって、
前記文字表示制御情報は、前記記録媒体に記録されているフォントデータを、前記再生装置が具備するフォントデータよりも優先して表示するよう指示可能な指示領域を含んでいることを特徴とする記録媒体。
【請求項９】
請求項７〜８記載の記録媒体であって、
前記文字表示制御情報は、前記再生装置が使用可能なフォントデータが前記記録媒体に複数種記録されている場合に、前記フォントデータの表示優先度を含んでいることを特徴とする記録媒体。
【請求項１０】
画像／音声データと、文字データと、前記文字データを表示するためのフォントデータと、前記文字データの表示方法を指示した文字表示情報とを記録した記録媒体と、
前記記録媒体を再生可能な再生装置とから成る文字表示方法であって、
前記文字表示情報は、前記再生装置が具備するフォントデータと、前記記録媒体に記録されているフォントデータのいずれかを使用して文字データを表示することを指示し、
前記再生装置は、前記文字表示情報が指示するフォントデータを、前記装置内もしくは前記記録媒体内から読み出し表示することを特徴とする文字表示方法。
【発明の詳細な説明】
【技術分野】
【０００１】
本発明は、画像／音声データを記録した記録媒体、前記記録媒体に記録されている画像／音声データを再生する再生装置に係り、特に画像／音声データに加え、表示する文字に関する文字情報を記録した記録媒体と、前記文字情報に従い表示する文字フォントを決定し、表示する再生装置に関する。
【背景技術】
【０００２】
近年、パーソナルコンピュータ（以下、パソコン）とインターネットの普及により、利用者がネットワークに接続し、ネットワークに接続されたサーバコンピュータ（以下、サーバ）により提供される各種情報、例えば画像データ、文字データ、音声データ等を閲覧したり、取得する機会が増え、一般化している。さらに、パソコンを利用しての情報取得だけでなく、TV、DVDプレーヤ等のAV（Audio Visual）機器を利用しての情報閲覧、情報取得の要求が高まってきており、インターネットに接続可能なAV機器が市販されている。
【０００３】
DVDプレーヤについては、高画質、高品質の画像／音声データ、例えば映画コンテンツ等を再生するための技術について規格化が進められており、さらに前記技術を採用したDVDプレーヤではインターネットに接続して各種情報を表示する技術についても規格化が進められている（例えば、非特許文献１参照）。
【０００４】
また、画像／音声データを再生する装置における文字の表示方法として、記録媒体に表示する文字用のフォントデータを格納し、前記フォントデータと再生後の画像／音声データとを合成して表示する技術が公開されている（例えば、特許文献１参照）。
【０００５】
【特許文献１】特開平10-20875号公報
【０００６】
【非特許文献１】「日経エレクトロニクス7月21日号」日経BP社、2003年7月21日発行、P.125-138
【発明の開示】
【発明が解決しようとする課題】
【０００７】
パソコンを利用してインターネット上のサーバから各種情報を閲覧、取得する場合、パソコンで利用可能なブラウザソフトウェア（以下、ブラウザ）を使用する。前記サーバは、パソコンからの要求に応じて、例えばHTML（Hyper Text Markup Language）形式のファイルや、例えばJPEG形式の画像ファイルを送信する。前記ブラウザは前記サーバから送信される各種ファイルを解析し、パソコンの出力装置に出力する。一方、DVDプレーヤ等の機器を利用してインターネット上のサーバから各種情報を閲覧、取得する場合、前記DVDプレーヤ等の機器で利用可能なブラウザを機器内に搭載し、前記パソコンによる出力方法と同様の方法により、前記機器に接続されたTV等の出力装置に各種情報を表示する。
【０００８】
前記HTML形式のファイルを用いた場合、コンテンツ提供者が表示する文字のフォントを指定することが可能である。しかしながら、表示する装置、例えば前記パソコンや前記DVDプレーヤにおいて、前記指定されたフォントデータを備えていない場合は、前記装置が備えるフォントデータを使用して情報を表示するため、コンテンツ提供者が意図した表示形態で表示できないという課題がある。
【０００９】
そこで、本発明の目的は、前記課題に鑑み、コンテンツ提供者が表示させたいフォントと、前記フォントの表示方法を制御するための制御情報とを記録媒体に記録し、前記装置において前記制御情報に従って前記記録媒体に記録されているフォントを読み出し表示することにより、コンテンツ提供者が指定するフォントを備えない装置においても、コンテンツ提供者が意図する形態で文字を表示可能とすることにある。
【課題を解決するための手段】
【００１０】
上記目的を達成するために、本発明は、記録媒体に記録された画像／音声データを再生する再生装置において、記録媒体に記録されている文字表示方法を指示する文字表示制御情報を読み出し、前記文字表示制御情報に従い、記録媒体に記録されているフォントデータを読み出し表示する文字表示技術とする。
【００１１】
また、画像／音声データを記録している記録媒体において、コンテンツ提供者が希望するフォントデータや、前記フォントデータを表示する際の表示方法を指示するための文字表示制御情報を記録する記録媒体とする。
【００１２】
なお、前記記録媒体とは、その内部にデータを記録及び保存ができるものであり、例えば映画コンテンツを記録しているDVDディスクであったり、DVD-RAM、DVD-R、DVD-RWなどである。
【発明の効果】
【００１３】
本発明にかかる再生装置、記録媒体、及びこれらを用いた文字表示方法を用いることにより、コンテンツ提供者が意図するフォントデータを備えない再生装置においても、コンテンツ提供者が意図する形態で文字を表示することが可能となる。
【発明を実施するための最良の形態】
【００１４】
以下、本発明に係る具体的な実施の形態である再生装置の一例として、DVDプレーヤの実施例を示す図面を用いて説明する。
【００１５】
図１に、本実施例の再生装置のブロック図を示す。
【００１６】
光ピックアップなどの再生ヘッドによりDVDディスク１３２から読み出された画像／音声データは、分離化処理部１０１により分離され、デジタル符号化された画像データとデジタル符号化された音声データに変換される。前記再生ヘッドとは、記録媒体からデータを再生するものであであれば、種類は特に限定されない。再生ヘッドは、例えばDVDなど光ディスクの光ピックアップ、HDDなど磁気記録媒体の磁気ヘッド、メモリカードなど半導体記録媒体の信号処理回路などである。
【００１７】
画像データに関しては、画像復号部１０２はデジタル符号化された画像データを復号し、OSD合成部１０３はメインCPU１２０からの指示に応じてグラフィックデータと復号された画像データとを合成し、画像信号処理部１０４はOSD合成部１０３から出力される画像データをNTSCなどへのフォーマット変換し、画像出力端子１０５を介して、外部画像表示装置、例えばTV等に出力する。なお、メインCPU１２０がOSD合成部１０３に対して行う指示は、利用者によるグラフィック表示指示、例えば再生装置が備えるメニュー等を表示する場合や、再生中の記録媒体に記録されているグラフィック表示指示に従ってグラフィックを表示する場合に行われる。
【００１８】
また、音声データに関しては、音声復号部１１０はデジタル符号化された音声データを復号し、音声信号処理部１１１は音声復号部１１０において復号された音声データをD/A変換してアナログ音声信号に変換し、増幅し、音声出力端子１１２を介して、外部出力装置、例えばスピーカ等に出力する。
【００１９】
以上示した方法により、前記再生装置において、前記記録媒体に記録されている画像／音声データを再生する。
【００２０】
次に、前記再生装置において、記録媒体に記録され、文字データを表示するコンテンツ、例えばHTML形式のファイル等を表示する方法について説明する。
【００２１】
前記メインCPU１２０は、利用者から前記コンテンツを表示する指示を受けると、DVDドライブ制御部１３０を制御し、前記DVDディスク１３２から所望のコンテンツを読み出し、前記コンテンツの表示形態を解析する。さらに、前記メインCPU１２０は、前記コンテンツに文字コードが含まれていて、前記コンテンツで文字を表示する必要がある場合は、文字表示制御部１４０を制御し、所望の文字コードに対応するフォントデータ１４１を読み出し、表示するためのコンテンツデータを作成する。前記作成されたコンテンツデータは、前記OSD合成部１０３に送信され、必要に応じて復号後の画像データと合成されて、前記外部画像表示装置に出力される。
【００２２】
以上示した方法により、前記再生装置において、前記記録媒体に記録されているコンテンツを表示する。
【００２３】
しかしながら、前記フォントデータ１４１は、前記再生装置メーカにより種類、サイズ等が異なるため、コンテンツ提供者が意図したフォントで表示できないことがある。図２は、文字を表示するコンテンツを外部画像表示装置に表示した場合の表示例を示す図である。図２において、(a)はコンテンツ提供者が意図するフォントデータを用いた表示例であり、(b)は前記再生装置が備えるフォントデータを用いた場合の表示例である。前記再生装置は、前記した方法によりコンテンツを表示するが、前記コンテンツ提供者が意図するフォントデータを前記再生装置が備えない場合は、前記再生装置が備えるフォントデータを使用し、前記コンテンツを表示する。そのため、コンテンツ提供者は図２(a)の表示形態を意図しているものの、前記再生装置でコンテンツ提供者が所望するフォントデータを備えないために図２(b)の表示形態となり、コンテンツ提供者が意図しない表示形態となってしまう。
【００２４】
そこで、前記コンテンツと共に、記録媒体にコンテンツ提供者が意図するフォントデータと、前記フォントを表示するための文字表示制御情報とを記録することにより、コンテンツ提供者が意図するフォントデータを備えない再生装置においても、コンテンツ提供者が意図するフォントを表示することが可能となる。
【００２５】
次に、本発明における前記文字表示制御情報について説明する。
【００２６】
図３は、記録媒体に記録された文字表示制御情報の構成を示す一実施例である。前記文字表示制御情報は、例えば、表示文字情報３１１、フォント情報３１２、フォントデータ３１３から成る。前記表示文字情報３１１は、例えば、表示フラグ３２１、フォント数３２２、表示優先度３２３から成り、前記表示フラグ３２１は、前記再生装置に備えられたフォントデータと記録媒体に記録されているフォントデータのいずれを使用するかを示すフラグであり、例えば「記録媒体に記録されているフォントデータを使用する」や「再生装置に備えられたフォントデータを使用する」等のフォントデータの使用方法に関する情報を格納する。前記フォント数３２２は、記録媒体に記録されているフォントデータの種別数を格納する。前記表示優先度３２３は、記録媒体に記録されているフォントデータが複数種ある場合に、どのフォントデータを優先的に表示するかといったフォントデータと表示優先順位とを関連付けた情報を格納する。前記フォント情報３１２は、前記フォント数３２２で示された数分のフォントデータに関するフォント情報３３１から成り、各フォント情報３３１は、例えばフォント名３５１や、フォントデータを格納している格納アドレス３５２から成る。なお、前記表示優先度３２３は、前記表示文字情報３１１の一部としているが、各フォント情報３３１の一部とすることも可能である。前記フォントデータ３１３は、前記フォント数３２２で示されている数分のフォントデータ３４１から成る。
【００２７】
以上示した文字表示制御情報を用いて、コンテンツ提供者が意図するフォントを表示する方法について、図１及び図３を用いて説明する。
【００２８】
メインCPU１２０は、前述した方法により、記録媒体に記録されているコンテンツを読み出す。さらに、文字を表示する場合においては、記録媒体に記録されている前記文字表示制御情報の内、少なくとも前記表示文字情報３１１と前記フォント情報３１２を読み出し、前記文字表示制御部１４０に送信する。前記文字表示制御部１４０は、送信された表示文字情報３１１に含まれる前記表示フラグ３２１を解析し、「装置内のフォントデータを使用する」旨の指示があった場合には、前記再生装置に備えられたフォントデータ１４１の内、表示する文字に対応するフォントデータを読み出し、メインCPU１２０に送信する。逆に、「記録媒体内のフォントデータを使用する」旨の指示があった場合には、前記文字表示制御部１４０は前記表示優先度３２３に従い、使用するフォントデータ３４１を決定し、前記格納アドレス３５２が示すアドレスからｎ番目のフォントデータ３４１の内、表示する文字に対応するフォントデータを読み出し、メインCPU１２０に送信する。前記メインCPU１２０は、送信されたフォントデータを用いて表示するためのコンテンツデータを作成する。ここで前記文字表示制御部１４０は、前記文字表示制御情報で指定された記録媒体内のフォントデータ３４１と、前記再生装置が備えるフォントデータ１４１とが同一のものである場合、記録媒体からフォントデータを読み出さず、前記再生装置が備えるフォントデータ１４１を使用しても良い。また、上記した方法では、表示する文字に対応するフォントデータのみを読み出す方法としているが、前記文字表示制御部１４０は指定されたｎ番目のフォントデータ３４１を全てRAM１２１に読み出し、読み出されたフォントデータから表示する文字に対応するフォントデータを読み出す方法でも良い。前記作成されたコンテンツデータが外部画像表示装置に表示されるまでの方法は、上述の通りである。
【００２９】
以上示した方法により、コンテンツ提供者は所望のフォントデータを記録媒体に記録しておき、さらに、前記文字表示制御情報に表示させたいフォントを使用する旨の指示、例えば、前記表示フラグ３２１に「記録媒体内のフォントデータを使用する」旨の指示と前記表示優先度３２２に所望のフォントデータ３４１の表示優先度を「最高」とする指示とを記録しておくことにより、再生装置に所望のフォントデータが備えられていなくても、意図したフォントデータでの表示を実現可能となる。
【００３０】
本実施例によれば、コンテンツ提供者が表示させたいフォントを複数種指定でき、利用者においても指定されたフォントから好みのフォントを選択することが可能となる。図４に、コンテンツ提供者が指定するフォントから、利用者が好みのフォントを選択する際に表示するフォント選択画面の一実施例を示す。４００は前記外部画像表示装置であり、４０１はコンテンツ提供者が指定し、記録媒体に記録されているフォントの一覧である。前記メインCPU１２０は、利用者からのフォント選択指示に応じて、前記文字表示制御部１４０を制御し、前記文字表示制御情報の内、少なくとも表示文字情報３１１と前記フォント情報３１２を読み出し、記録媒体に記録されているフォントデータ数やフォント名等、利用者がフォントを選択するために必要な情報を取得する。さらに、メインCPU１２０は、取得した情報を前記OSD合成部１０３に送信し、外部画像表示装置に出力するよう前記OSD合成部１０３を制御する。本実施例では、「フォントＡ」と「フォントＢ」の２つを選択可能なフォントとして表示し、「フォントＡ」が選択された状態を示している。利用者は、表示されたフォント４０１から所望のフォントを前記再生装置用のリモートコントローラや本体ボタン等を用いて選択し、前記メインCPU１２０は、選択結果を前記文字表示制御部１４０に送信し、使用するフォントデータを利用者が選択したフォントデータとするよう制御する。なお、本実施例において、利用者が選択可能なフォントを表示する際の表示順は、前記表示優先度３２３に従った順番で表示しても良いし、記録媒体に記録されている順番に表示しても良い。
【００３１】
以上示した方法により、コンテンツ提供者は使用したいフォントを優先度をつけて指定し、利用者に表示することが可能となり、また利用者は、指定されたフォントから好みのフォントを選択することが可能となる。
【００３２】
次に、上記示した方法により、コンテンツ提供者が指定するフォントを使用して文字を表示する処理をソフトウェアで実現した場合の処理フローを説明する。図５は、上記処理のフローの一例である。
【００３３】
文字表示処理が開始されると、記録媒体に記録されている文字表示制御情報を読み出し（ステップ５１）、記録媒体内にコンテンツ提供者が指定するフォントデータの有無や、指定されたフォントを使用するか否かを判定する（ステップ５２）。コンテンツ提供者が指定するフォントデータがあり使用する場合は、指定されたフォントデータを記録媒体から読み出し（ステップ５３）、逆に指定されたフォントデータが無かったり、使用しない場合は再生装置に備えられたフォントデータを読み出し（ステップ５４）、文字を含むコンテンツデータを作成し（ステップ５５）、外部画像表示装置に出力する。
【００３４】
以上示した通り、記録媒体にコンテンツ提供者が表示させたいフォントデータと、前記フォントデータの表示方法を制御する文字表示制御情報とを記録し、再生装置において前記文字表示制御情報に従って使用するフォントデータを決定することにより、コンテンツ提供者が意図するフォントデータを備えない再生装置においても、コンテンツ提供者が意図する形態で文字を表示することが可能となる。
【００３５】
なお、本発明の実施の形態を、コンテンツ提供者が意図するフォントデータを記録媒体に記録しておき、再生装置で前記記録媒体から指定されたフォントデータを読み出す方法で説明してきたが、フォントデータを記録媒体に記録しておくのではなく、例えばネットワークに接続されたサーバ装置に格納しておき、前記再生装置が備えないフォントデータを使用した文字表示を行う場合に、前記サーバ装置から指定されたフォントデータをダウンロードし、前記再生装置のRAMに格納する方法であっても、同様の効果を得ることが可能である。
【図面の簡単な説明】
【００３６】
【図１】本発明における再生装置の一実施例を示すブロック図
【図２】文字表示形態を示す表示例
【図３】本発明における文字表示制御情報の構成を示す一実施例
【図４】本発明におけるコンテンツ提供者が指定するフォントを選択するための表示画面の一実施例
【図５】本発明における文字表示方法の処理フローを示すフローチャートの一例
【符号の説明】
【００３７】
１０１  分離化処理部
１０２  画像復号部
１０３  OSD合成部
１１０  音声復号部
１２０  メインCPU
１２１  RAM
１３０  DVDドライブ制御部
１３２  DVDディスク
１４０  文字表示制御部
１４１  再生装置に備えられたフォントデータ
３１１  表示文字情報
３１２  フォント情報
３１３  フォントデータ
３２１  表示フラグ
３２２  フォント数
３２３  表示優先度
４００  フォント選択画面の一例
４０１  選択可能なフォントリスト
【図１】
2005092972.tif 000003
【図２】
2005092972.tif 000004
【図３】
2005092972.tif 000005
【図４】
2005092972.tif 000006
【図５】
2005092972.tif 000007